(57)【要約】      （修正有）【課題】多種類の見本同士の組み合わせを一度に表示することができるカタログを提供する。【解決手段】ページの見開きごとに写真又は絵等の図柄が少なくとも一部異なる変更見本３とページの見開きごとに略同位置に同一種類の図柄の基礎見本４とからなる見本２が表示されたカタログ本体１と、基礎見本４と同一種類の見本であって図柄が少なくとも一部異なる補助見本１２がページの見開きごとに略同位置に表示された小冊子１１と、を備え、見本２の任意のページと補助見本１２の任意のページとを、基礎見本４の図柄と補助見本１２の図柄とが対応するように重ね合わせた状態で、見本２及び補助見本１２の少なくともいずれか一方を異なるページに変更することにより、変更見本３と補助見本１２との異なる組み合わせが得られる。【選択図】図３
2015210353.tif 000002
【特許請求の範囲】
【請求項１】
ページの見開きごとに写真又は絵等の図柄が少なくとも一部異なる変更見本とページの見開きごとに略同位置に同一種類の図柄の基礎見本とからなる見本が表示されたカタログ本体と、
前記基礎見本と同一種類の図柄が少なくとも一部異なる補助見本がページの見開きごとに略同位置に表示された小冊子と、
を備え、
任意のページの前記見本と任意のページの前記補助見本とを、前記基礎見本の図柄と前記補助見本の図柄とが対応するように重ね合わせた状態で、前記見本及び前記補助見本の少なくともいずれか一方を異なるページに変更することにより、前記変更見本と前記補助見本との異なる組み合わせが得られることを特徴とする、
カタログ。
【請求項２】
前記見本のページの上下に切り込み線を入れて上側表示面及び下側表示面を形成し、前記上側表示面と前記下側表示面との少なくともいずれか一方を異なるページに変更することにより、前記上側表示面の図柄と前記下側表示面の図柄との異なる組み合わせが得られることを特徴とする、
請求項１に記載のカタログ。
【請求項３】
前記切り込み線は前記見本を構成する複数の要素を分ける線に沿う形状に作成されており、かつ、小冊子上端辺又は小冊子下端辺は前記切り込み線に沿って形成されていることを特徴とする、
請求項２に記載のカタログ。
【請求項４】
前記補助見本と前記基礎見本とは、前記小冊子上端辺又は前記小冊子下端辺を前記切り込み線に合わせると、略同位置に重ね合わせられるように図柄が配置されていることを特徴とする、
請求項２又は３に記載のカタログ。
【請求項５】
前記補助見本と前記基礎見本とは、前記小冊子上端辺又は前記小冊子下端辺をそれぞれカタログ本体上端辺又はカタログ本体下端辺に合わせると、略同位置に重ね合わせられるように図柄が配置されていることを特徴とする、
請求項１〜３のいずれか１項に記載のカタログ。
【請求項６】
前記補助見本のページの上下に補助切り込み線を入れて上側補助表示面及び下側補助表示面を形成し、前記上側補助表示面と前記下側補助表示面との少なくともいずれか一方を異なるページに変更することにより、前記上側補助表示面の図柄と前記下側補助表示面の図柄との異なる組み合わせが得られることを特徴とする、
請求項１〜５のいずれか１項に記載のカタログ。
【請求項７】
前記カタログ本体は前記小冊子を収納するための収納部を備えていることを特徴とする、
請求項１〜６のいずれか１項に記載のカタログ。
【発明の詳細な説明】
【技術分野】
【０００１】
本発明は、カタログに関する。
【背景技術】
【０００２】
従来から複数の見本同士を組み合わせて一つの組み合わせを選択するためのカタログが使用されている。この種のカタログは、インテリア、服飾、家具又はそれらの色、デザイン、素材等の選定を行う際に利用されてきた。例えば、上下に種々のエレメントを組み合わせて構成されてなる家具を多数種示すカタログにおいて、各家具の表示部を上下に裁断して上側家具表示部と下側家具表示部とに分けて捲れるようにした、カタログがある（特許文献１）。
【０００３】
このカタログは、薄い小冊子としても多種のエレメントの組み合わせからなる家具を表示することができる。これは顧客に家具の組み合わせの選択の幅を広げることに繋がる。
【０００４】
また、例えば、複数の表示面を有する台紙と、台紙の少なくとも一つの表示面に貼着された、見開き可能な補助台紙とを備え、この補助台紙に複数の実物見本又は印刷物見本を含む見本群を固定してなる素材・色見本帳がある（特許文献２）。
【０００５】
この素材・色見本帳は、折畳式の補助台紙を設けることにより、台紙枚数を増加することなく素材・色見本のサンプル数を大幅に増加することができる。また、サンプルを型番や種類毎に補助台紙に分類することができるので、見やすい素材・色見本帳を提供することができる。さらに異なる見本を組み合わせたり比較したりするための色合わせカードを用いることにより、異なる生地同士の発色の違いを見たり、その組み合わせを所定の用途に用いた場合の状態を雛型として見ることができる。
【０００６】
さらに、例えば、生地情報を含む施工例サンプル画像を掲載したコーディネートブックと、生地情報に基づいて生地を選定するための生地サンプルブックと、選定された生地に基づいて製品の仕様の選定と価格の確認を行う製品ガイド・プライスブックと、それらを収容する収容体とを備えてなる、インテリアコーディネート用ツールがある（特許文献３）。
【０００７】
このインテリアコーディネート用ツールによれば、所望のライフスタイルに応じたインテリア製品を効率的に選定することができる。また、一冊の収容体に収容された複数の冊子により、インテリア製品のコーディネートから、概算見積もり、仕様決定、選定された製品の発注まで一連の作業を容易に行うことができる。
【０００８】
しかし、特許文献１に記載のカタログは、上側家具表示部と下側家具表示部とからなる２種類の家具にしか対応できないという問題点を有している。例えば、インテリアのコーディネートを行う際に、カーペット等を含む床面、室内装飾物を含む壁面、そしてカーテン等を含む窓まわりといったような、３種類以上の見本を組み合わせることができない。従って、多種類の見本を組み合わせられるカタログの開発が望まれていた。
【０００９】
また、特許文献２に記載の素材・色見本帳は、多数の見本を収録することができる一方、その組み合わせを一度に表示することができないという問題点を有している。色合わせカードを用いても、異なる色同士の組み合わせをページの見開きに一度に表示することができない。従って、見本同士の組み合わせを一度に表示することができるカタログの開発が望まれていた。
【００１０】
さらに、特許文献３に記載のインテリアコーディネート用ツールは、多数の見本の組み合わせを収録しようとすれば、コーディネートブックが分厚くなってしまったり、一見本当たりの表示面積が小さくなってしまったりするという問題点を有している。従って、カタログを大きくしたり見本の大きさを小さくしたりしてカタログの使い勝手を損なうことがなく、多種類の見本同士の組み合わせを表示することができるカタログの開発が望まれていた。
【先行技術文献】
【特許文献】
【００１１】
【特許文献１】公開実用新案第昭６３−６８６８６号公報
【特許文献２】特開２００３−９８９７１号公報
【特許文献３】登録実用新案第３１７５４６４号公報
【発明の開示】
【発明が解決しようとする課題】
【００１２】
本発明は、このような課題を鑑みなされたものであり、多種類の見本同士の組み合わせを一度に表示することができるカタログを提供することを主目的とする。
【課題を解決するための手段】
【００１３】
本発明は、上述の主目的を達成するために、以下の手段を採った。
【００１４】
本発明にかかるカタログは、ページの見開きごとに写真又は絵等の図柄が少なくとも一部異なる変更見本とページの見開きごとに略同位置に同一種類の図柄の基礎見本とからなる見本が表示されたカタログ本体と、
前記基礎見本と同一種類の図柄が少なくとも一部異なる補助見本がページの見開きごとに略同位置に表示された小冊子と、
を備え、
前記見本の任意のページと前記補助見本の任意のページとを、前記基礎見本の図柄と前記補助見本の図柄とが対応するように重ね合わせた状態で、前記見本及び前記補助見本の少なくともいずれか一方を異なるページに変更することにより、前記変更見本と前記補助見本との異なる組み合わせが得られることを特徴とする。
【００１５】
本発明のカタログによれば、小冊子を有しない一般的なカタログを用いる場合と比較して、多種類の見本同士の組み合わせが得られる。また、小冊子を複数用いる場合には異なる構成の見本群とすることができるので、さらに多種類の見本同士の組み合わせが得られる。例えば、インテリアのコーディネートであれば窓に複数種類のカーテンを設ける構成の小冊子や、壁際に複数種類の装飾物を配置する構成の小冊子や、天井に複数種類の照明を設ける小冊子とすることができる。
【００１６】
また、本発明にかかるカタログにおいて、見本のページの上下に切り込み線を入れて上側表示面及び下側表示面を形成し、上側表示面と下側表示面との少なくともいずれか一方を異なるページに変更することにより、上側表示面の図柄と下側表示面の図柄との異なる組み合わせが得られることを特徴とするものであってもよい。かかる構成を採用することによって、見本同士の組み合わせパターンを増やし、さらに多種類の見本同士の組み合わせが得られる。
【００１７】
さらに、本発明にかかるカタログにおいて、切り込み線は見本を構成する複数の要素を分ける線に沿う形状に作成されており、かつ、小冊子の上端辺又は下端辺は切り込み線に沿う形状に作成されていることを特徴とするものであってもよい。かかる構成を採用することによって、下側表示面のページを変更する動作の邪魔をせずに、上側表示面と補助見本との組み合わせを行うことができる。表示面が逆の場合も同様である。つまり、上側表示面のページを変更する動作の邪魔をせずに、下側表示面と補助見本との組み合わせを行うことができる。また、補助見本を基礎見本に重ね合わせると補助見本がカタログ本体の見本と一体化した視覚効果が得られるので、より本物に近い臨場感あふれる見本を表示することができる。
【００１８】
さらに、本発明にかかるカタログにおいて、補助見本と基礎見本とは、小冊子の上端辺又は下端辺を切り込み線に合わせると、略同位置に重ね合わせられるように図柄が配置されていることを特徴とするものであってもよい。かかる構成を採用することによって、基礎見本と補助見本とを簡便に重ね合わせることができる。本発明に係るカタログは基礎見本と補助見本とを重ね合わせる機会が多いが、小冊子の見開きをカタログ本体の見開きの切り込み線に合わせるだけで、その作業を簡便に行うことができる。
【００１９】
さらに、本発明にかかるカタログにおいて、補助見本と基礎見本とは、小冊子の上端辺又は下端辺をそれぞれカタログ本体の上端辺又は下端辺に合わせると、略同位置に重ね合わせられるように図柄が配置されていることを特徴とするものであってもよい。かかる構成を採用することによって、基礎見本と補助見本とを簡便に重ね合わせることができる。本発明にかかるカタログは基礎見本と補助見本とを重ね合わせる機会が多いが、小冊子をカタログ本体の上端辺又は下端辺に合わせるだけで、その作業を簡便に行うことができる。
【００２０】
さらに、本発明にかかるカタログにおいて、補助見本のページの上下に補助切り込み線を入れて上側補助表示面及び下側補助表示面を形成し、上側補助表示面と下側補助表示面との少なくともいずれか一方を異なるページに変更することにより、上側補助表示面の図柄と下側補助表示面の図柄とを組み合わせられることを特徴とするものであってもよい。かかる構成を採用することによって、見本同士の組み合わせパターンを増やし、さらに多種類の見本同士の組み合わせが得られる。
【００２１】
さらに、本発明にかかるカタログにおいて、小冊子を収納するための収納部を備えていることを特徴とするものであってもよい。かかる構成を採用することによって、小冊子をカタログ本体に収納できるので、カタログの持ち運びが簡便になる。
【図面の簡単な説明】
【００２２】
【図１】図１は、第一実施形態にかかるカタログ１００を正面から見た概略図である。
【図２】図２は、カタログ１００に収納部を備えた状態を示す、概略斜視図である。
【図３】図３は、第一実施形態にかかるカタログ１００の使用状態を示す正面図である。
【図４】図４は、第一実施形態にかかるカタログ１００において、小冊子１１のページを捲った状態を示す、正面図である。
【図５】図５は、第一実施形態にかかるカタログ１００において、小冊子１１のページ見開きの両面に補助見本１２を表示した状態を示す、正面図である。
【図６】図６は、第二実施形態にかかるカタログ１００の正面図である。
【図７】図７は、第三実施形態にかかるカタログ１００の正面図である。
【発明を実施するための形態】
【００２３】
本発明にかかるカタログ１００の実施の形態について、図面を参照しつつ詳細に説明する。以下に説明する実施の形態及び図面は、本発明の実施の形態の一部を例示するものであり、これらの構成に限定する目的に使用されるものではなく、本発明の要旨を逸脱しない範囲において適宜変更することができる。なお、各図において対応する構成要素には同一又は類似の符号が付されている。また、説明の便宜上、図１の左上の矢印に示すように、カタログ本体１の見開き中央から上端辺に向かって上側、下端辺に向かって下側、右に向かって右側、左に向かって左側として説明する。
【００２４】
（第一実施形態）
第一実施形態にかかるカタログ１００を図１に示す。図１は、本実施形態にかかるカタログ１００を正面側から見た概略図である。本実施形態にかかるカタログ１００は、主として、変更見本３（太線で囲った範囲）と基礎見本４とからなる見本２が表示されたカタログ本体１と、補助見本１２が表示された小冊子１１とを備えている。このカタログ１００は、カタログ本体１を見開いた状態で任意のページの見本２と小冊子１１を見開いた状態で任意のページの補助見本１２とを、基礎見本４の図柄と補助見本１２の図柄とが対応するように重ね合わせた状態で、カタログ本体１及び小冊子１１の少なくともいずれか一方を異なるページに変更することにより、変更見本３と補助見本１２との異なる組み合わせを表示させることができる（図３参照）。
【００２５】
カタログ本体１は、図１に示すように、ページの見開きごとに写真又は絵等の図柄からなる見本２が表示された、紙製の印刷物を綴じてなる冊子である。見本２は図柄が少なくとも一部異なる変更見本３と、ページの見開きごとに略同位置に同一種類の図柄が表示された基礎見本４とを有する。また、見本２を構成する複数の要素を分ける線に沿って切り込み線５（破線で示した線）が入れられ、上側表示面６と下側表示面７とが形成されている。第一実施形態では、見本２が室内装飾に関する図柄であり、床面や壁面等の異なるデザインが施された変更見本３が各ページに表示されており、同一のウィンドウが施された基礎見本４が各ページに表示されている。さらに、カタログ本体１は、床面の要素と壁面の要素とを分ける線に沿って切り込み線５が入れられていて、例えば、下側表示面７のページのみを変更することで床面のみのデザインを変更することもできる。切り込み線５は変更したいデザインに合わせて形成される。例えば床面のデザインを変更できるようにしたい場合には、床面に沿わせてカタログ本体１の中央から一定距離はページの上端及び下端と平行であるが、該一定距離から先は左下方向又は右下方向に屈曲するように形成される。カタログ本体１の裏表紙の見返しには、図２に示すように、下端隅に収納部２１が設けられていて、小冊子１１をカタログ本体１に収納することができる。これにより、小冊子１１をカタログ本体１に収納できるので、カタログ１００の持ち運びが簡便になる、という効果を有する。なお、本実施形態においては、基礎見本４はすべて同一の図柄としたが、異なる図柄であってもよい。
【００２６】
小冊子１１は、図１に示すように、基礎見本４と同一種類であって図柄が少なくとも一部異なる補助見本１２がページの見開きごとに表示された、紙製の印刷物を綴じてなる冊子である。本実施形態では、ウィンドウの基礎見本４に対して、異なる複数のデザインからなるカーテンが表示されたウィンドウの補助見本１２が各ページの左側ページに表示されている。小冊子下端辺１９は、カタログ本体１の切り込み線５に沿う形状に形成されており、小冊子下端辺１９を切り込み線５に合わせると、基礎見本４と補助見本１２の図柄が略同位置に重ね合わせられる（図３参照）。
【００２７】
こうして作製されたカタログ本体１と小冊子１１とからなるカタログ１００の使用方法を説明する。まず、図１に示すように、カタログ本体１のページを捲って、使用者の趣向に合った変更見本３（床面及び壁面等）が表示されているページを開く。変更見本３は切り込み線５によって上側表示面６と下側表示面７とに分かれているから、カタログ本体１は使用者の趣向に合った組み合わせの見本２を表示することができる。本実施形態においては、上側表示面６が壁面及び天井の室内装飾を表示し、下側表示面７が床面を表示する。カタログ本体１のみを用いても、ページ数に応じて、使用者は壁面及び天井の室内装飾と床面とのデザインが異なる複数の組み合わせを選択することができる。
【００２８】
次に、小冊子１１のページを捲って、使用者の趣向に合った補助見本１２が表示されているページを開いた状態にする。それから、図３に示すように、基礎見本４の上に補助見本１２を重ね合わせる。このとき、小冊子下端辺１９は切り込み線５に沿う形状に裁断されていて、かつ、小冊子下端辺１９を切り込み線５に合わせると、基礎見本４と補助見本１２とが略同位置に重ね合わされるように図柄が配置されている。従って、小冊子下端辺１９を切り込み線５に合わせるだけで使用者は基礎見本４の図柄と補助見本１２の図柄とを合わせることができる。また、図４に示すように、使用者はこの状態から上側表示面６、下側表示面７及び小冊子１１の少なくともいずれか一方のページを捲って、変更見本３及び補助見本１２の異なる図柄の組み合わせを表示させることができる。小冊子１１をカタログ本体１と組み合わせて使用することにより、使用者は壁面及び天井の室内装飾、床面、及び窓部の組み合わせを複数選択することができる。
【００２９】
なお、上述した第１実施形態は、上記構成に何ら限定されることはなく、本発明の技術的範囲に属する限り種々の態様で実施し得る。
【００３０】
上述した第一実施形態では、図３に示すように、基礎見本４と補助見本１２とを重ね合わせる際、小冊子下端辺１９を切り込み線５に合わせて、このとき基礎見本４の図柄と補助見本１２の図柄とが略同位置に配置されているものとしたが、本発明はこれに限定されるものではなく、小冊子上端辺１８を切り込み線５に合わせて、このとき基礎見本４の図柄と補助見本１２の図柄とが略同位置に配置されているものであってもよい。上述した第一実施形態では、小冊子下端辺１９を切り込み線５の形状に沿って裁断するものとしたが、この場合、小冊子上端辺１８を切り込み線５に沿って裁断する。この場合であっても、上述した実施の形態と同様の効果を得ることができる。なお、基礎見本４と補助見本１２とは、それぞれの図柄が合うように、使用者が目視によって自ら重ね合わせてもよい。
【００３１】
さらに、上述した第一実施形態では、図３に示すように、小冊子１１の見開き片面のみに補助見本１２を表示するものとしたが、本発明はこれに限定されるものではなく、図５に示すように、小冊子１１の見開き両面に補助見本１２を表示するものとしてもよい。この場合、補助見本１２の表示領域が拡大するため、より本物に近い臨場感あふれる見本を表示することができる。
【００３２】
（第二実施形態）
第二実施形態にかかるカタログ１００を図６に示す。図６は、本実施形態にかかるカタログ１００の正面図である。本実施形態にかかるカタログ１００の主たる構成は第一実施形態の構成と同一であるから、ここでは異なる構成について説明する。上述したように、第一実施形態では、図１に示すように、カタログ本体１に切り込み線５を入れて上側表示面６及び下側表示面７を形成する構成とした。本実施形態においては、図６に示すように、補助見本１２のページの上下に補助切り込み線１５を入れて上側補助表示面１６及び下側補助表示面１７を形成する。小冊子１１は、壁面上部の要素と壁面下部の要素とを分ける線に沿って、若しくは変更したいデザインに合わせて、補助切り込み線１５が入れられている。例えば壁面下部に配置する収納家具のデザインを変更できるようにしたい場合には、補助切り込み線１５は、収納家具の天面に沿って形成される。このとき、上側補助表示面１６と下側補助表示面１７との少なくともいずれか一方を異なるページに変更することにより、上側補助表示面１６の図柄と下側補助表示面１７の図柄とを組み合わせられるので、上側表示面６の図柄と下側表示面７の図柄との組み合わせと合わせて使用することにより、さらに多種類の見本同士の組み合わせが得られる。なお、本実施形態においては、補助切り込み線１５は壁面上部の要素と壁面下部の要素とを分ける線に沿って、若しくは変更したいデザインに合わせて入れられているものとしたが、小冊子上端辺１８又は小冊子下端辺１９と平行に補助切り込み線１５を入れてもよい。
【００３３】
（第三実施形態）
第三実施形態にかかるカタログ１００を図７に示す。図７は、第三実施形態にかかるカタログ１００の正面図である。本実施形態にかかるカタログ１００は、主として、変更見本３と基礎見本４とからなる見本２が表示されたカタログ本体１と、補助見本１２が表示された小冊子１１とを備えている。このカタログ１００の使用者は、カタログ本体１を見開いた状態で任意のページの見本２と小冊子１１を見開いた状態で任意のページの補助見本１２とを、基礎見本４の図柄と補助見本１２の図柄とが対応するように重ね合わせた状態で、見本２及び補助見本１２の少なくともいずれか一方を異なるページに変更することにより、変更見本３と補助見本１２との異なる組み合わせを得ることができる。
【００３４】
カタログ本体１は、ページの見開きごとに写真又は絵等の図柄からなる見本２が表示された、紙製の印刷物を綴じてなる冊子である。見本２は図柄が少なくとも一部異なる変更見本３と、ページの見開きごとに略同位置に同一種類の図柄が表示された基礎見本４とからなる。また、見本２のページの上下に切り込み線５（破線で示した線）を入れて上側表示面６と下側表示面７とが形成されている。第一実施形態とは異なり、切り込み線５は見本２の図柄のうち複数の要素を分ける線に沿って入れられてはおらず、カタログ本体上端辺８又はカタログ本体下端辺９と平行に入れられている。カタログ本体１の裏表紙の見返しには、図２に示すように、下端隅に紙製のポケットからなる収納部２１が設けられている。収納部２１は、小冊子１１をカタログ本体１に収納するために設けられている。これにより、小冊子１１をカタログ本体１に収納できるので、カタログ１００の持ち運びが簡便になる、という効果を有する。
【００３５】
小冊子１１は、基礎見本４と同一種類であって図柄が少なくとも一部異なる補助見本１２がページの見開きごとに表示された、紙製の印刷物を綴じてなる冊子である。第一実施形態とは異なり、小冊子下端辺１９は裁断されていない。本実施形態では、小冊子上端辺１８又は小冊子下端辺１９をカタログ本体上端辺８、カタログ本体下端辺９及び切り込み線５のいずれか一方に合わせると、基礎見本４と補助見本１２とが略同位置に重ね合わせられるように図柄が配置されている。
【００３６】
こうして作製されたカタログ本体１と小冊子１１とからなるカタログ１００の使用方法を説明する。まず、カタログ本体１のページを捲って、使用者の好みに合った見本２が表示されているページを開いた状態にして、机等の上に載置する。見本２は切り込み線５によって上側表示面６と下側表示面７とに分かれているから、カタログ本体１は使用者の好みに合った組み合わせの見本２を表示することができる。本実施形態においては、上側表示面６がモデルの上半身を表示し、下側表示面７がモデルの下半身を表示する。
【００３７】
次に、小冊子１１のページを捲って、使用者の好みに合った補助見本１２が表示されているページを開いた状態にする。それから、基礎見本４の上に補助見本１２を重ね合わせる。このとき、小冊子下端辺１９を切り込み線５又はカタログ本体下端辺９に合わせると基礎見本４と補助見本１２とが略同位置に重ね合わされるように図柄が配置されている。従って、使用者は図柄を合わせるための位置調整作業の必要なしに、小冊子下端辺１９を切り込み線５又はカタログ本体下端辺９に合わせるだけでよい。また、使用者はこの状態から上側表示面６、下側表示面７及び小冊子１１の少なくともいずれか一方のページを捲って、異なる図柄の変更見本３又は補助見本１２を表示させることができる。小冊子１１をカタログ本体１と組み合わせて使用することにより、図７に示すように、使用者はモデルの上半身及び下半身、鞄、及び靴の四種類の組み合わせを選択することができる。従って、切り込み線５及び小冊子１１を設けない一般的なカタログと比較すると、本発明にかかるカタログ１００は多種類の見本同士の組み合わせを得ることができる。
【００３８】
なお、本実施形態においては、図７に示すように、基礎見本４と補助見本１２とを重ね合わせる際、小冊子下端辺１９を切り込み線５又はカタログ本体下端辺９に合わせて、このとき基礎見本４の図柄と補助見本１２の図柄とが略同位置に配置されているものとした。本発明はこれに限定されるものではなく、小冊子上端辺１８をカタログ本体上端辺８又は切り込み線５に合わせて、このとき基礎見本４の図柄と補助見本１２の図柄とが略同位置に配置されているものであってもよい。この場合であっても、上述した実施形態と同様の効果を得ることができる。なお、基礎見本４と補助見本１２とは、それぞれの図柄が合うように、使用者が目視によって自ら重ね合わせてもよい。
【００３９】
なお、本発明は上述した実施形態に何ら限定されることはなく、本発明の技術的範囲に属する限り種々の態様で実施し得る。
【００４０】
例えば、上述した第一実施形態、第二実施形態及び第三実施形態では、カタログ本体１及び小冊子１１は紙製の印刷物を綴じてなる冊子であるものとしたが、これに限定されるものではなく、樹脂製の薄い板又はフィルムの印刷物を綴じて冊子としてもよい。また、紙製又は樹脂製の印刷物の一辺に複数の孔を設けて、リングで綴じてなる冊子としてもよいし、紙製又は樹脂製の印刷物を糊づけして製本してもよい。とりわけ第三実施形態において、小冊子１１を透明な樹脂製フィルムの上に補助見本１２を印刷したものを複数綴じた冊子とすると、カタログ本体１と小冊子１１とを重ね合わせても変更見本３が見えなくなることはない。従って、変更見本３と補助見本１２との位置調整作業を容易に行うことができる。
【００４１】
また、上述した第一実施形態、第二実施形態及び第三実施形態では、図２に示すように、カタログ本体１の裏表紙の見返し下端隅に収納部２１を設けるものとしたが、収納部２１は設けなくともよいし、カタログ本体１の見返し下端隅以外の場所、例えば裏表紙の下端中央に設けてもよい。後者の場合は、上述した実施の形態と同様の効果を得ることができる。
【産業上の利用可能性】
【００４２】
上述した実施形態で示すように、見本表示手段、特に、多種類の見本同士の組み合わせを一度に表示することができるカタログとして利用することができる。
【符号の説明】
【００４３】
１…カタログ本体、２…見本、３…変更見本、４…基礎見本、５…切り込み線、６…上側表示面、７…下側表示面，８…カタログ本体上端辺、９…カタログ本体下端辺、１１…小冊子、１２…補助見本、１５…補助切り込み線、１６…上側補助表示面、１７…下側補助表示面、１８…小冊子上端辺、１９…小冊子下端辺、２１…収納部、１００…カタログ
【図１】
2015210353.tif 000003
【図２】
2015210353.tif 000004
【図３】
2015210353.tif 000005
【図４】
2015210353.tif 000006
【図５】
2015210353.tif 000007
【図６】
2015210353.tif 000008
【図７】
2015210353.tif 000009